(57)【要約】      （修正有）【課題】組立性の向上したでディスク装置を提供する。【解決手段】ディスク装置は、第１アクチュエータアッセンブリ２２Ａと、第２アクチュエータアッセンブリ２２Ｂとを備える。第１軸受ユニットは、支持シャフトに同軸的に装着された第１シャフト５１ａと、第１アクチュエータブロック２９に固定され第１シャフトの周囲に同軸的に配置された第１スリーブ５２ａと、第１シャフトと第１スリーブとの間に配置された少なくとも１つのベアリング５４ａ、５４ｂとを有する。第２軸受ユニットは、支持シャフトに同軸的に装着され第１シャフトと別体の第２シャフト５１ｂと、第２アクチュエータブロック２９に固定され第２シャフトの周囲に同軸的に配置された第２スリーブ５２ｂと、第２シャフトと第２スリーブとの間に配置された少なくとも１つのベアリング５４ａ、５４ｂとを有する。第２シャフトの軸方向一端は、第１シャフトの軸方向一端に対向している。【選択図】図５
2020155176.tif 000002
【特許請求の範囲】
【請求項１】
それぞれ記録層を有する複数のディスク状の記録媒体と、
第１軸受ユニットを介して支持シャフトに回動自在に支持された第１アクチュエータブロックと、前記第１アクチュエータブロックから延出したアームおよびサスペンションアッセンブリと、前記サスペンションアッセンブリに支持された磁気ヘッドと、を有する第１アクチュエータアッセンブリと、
第２軸受ユニットを介して前記支持シャフトに回動自在に支持された第２アクチュエータブロックと、前記第２アクチュエータブロックから延出したアームおよびサスペンションアッセンブリと、前記サスペンションアッセンブリに支持された磁気ヘッドと、を有する第２アクチュエータアッセンブリと、を備え、
前記第１軸受ユニットは、前記支持シャフトに同軸的に装着された第１シャフトと、前記第１アクチュエータブロックに固定され前記第１シャフトの周囲に同軸的に配置された第１スリーブと、前記第１シャフトと第１スリーブとの間に配置された少なくとも１つのベアリングと、を有し、
前記第２軸受ユニットは、前記支持シャフトに同軸的に装着され前記第１シャフトと別体の第２シャフトと、前記第２アクチュエータブロックに固定され前記第２シャフトの周囲に同軸的に配置された第２スリーブと、前記第２シャフトと第２スリーブとの間に配置された少なくとも１つのベアリングと、を有し、前記第２シャフトの軸方向一端は、前記第１シャフトの軸方向一端に対向している
ディスク装置。
【請求項２】
前記第１シャフトの軸方向一端は、前記第１スリーブの軸方向一端よりも前記第２軸受ユニット側に突出し、前記第２シャフトの軸方向一端に当接している請求項１に記載のディスク装置。
【請求項３】
前記第１シャフトは、前記前記軸方向一端に設けられた環状のフランジを一体に有し、
前記フランジは、前記第２軸受ユニットの一端に隙間を置いて対向し、前記隙間によりラビリンスを構成している請求項１に記載のディスク装置。
【請求項４】
前記第１軸受ユニットの第１シャフトおよび第１スリーブは、前記第２軸受ユニットの第２シャフトおよび第２スリーブとそれぞれ同一の形状および径に形成され、前記第１スリーブは、前記第２スリーブよりも軸方向長さが短く形成され、第２スリーブの軸方向一端に隙間を置いて対向している請求項１に記載のディスク装置。
【請求項５】
前記第２シャフトの軸方向一端は、前記第２スリーブの軸方向一端よりも前記第１軸受ユニット側に突出し、前記第１シャフトの軸方向一端に当接している請求項１に記載のディスク装置。
【請求項６】
第１ベース部と、前記第１ベース部から延出した第１中継部と、前記第１中継部の延出端に連続して設けられ前記第１アクチュエータアッセンブリの第１アクチュエータブロックに取付けられた第１接合部と、を有し、フレキシブル配線基板により一体に形成された第１配線基板ユニットと、
前記第１ベース部と分離した第２ベース部と、前記第２ベース部から延出した第２中継部と、前記第２中継部の延出端に連続して設けられ前記第２アクチュエータアッセンブリの第２アクチュエータブロックに取付けられた第２接合部と、を有し、フレキシブル配線基板により一体に形成された第２配線基板ユニットと、
を更に備えている請求項１に記載のディスク装置。
【請求項７】
前記第１配線基板ユニットは、前記第１ベース部に実装された第１コネクタを有し、
前記第２配線基板ユニットは、前記第２ベース部に実装された第２コネクタを有し、
前記第１ベース部および第１コネクタは、前記第２ベース部および第２コネクタと面方向に並んで配置されている請求項６に記載のディスク装置。
【請求項８】
前記第１配線基板ユニットは、前記第１ベース部に実装された第１コネクタを有し、
前記第２配線基板ユニットは、前記第２ベース部に実装された第２コネクタを有し、
前記第１ベース部および第１コネクタは、前記第２ベース部および第２コネクタに重ねて配置され、前記第１コネクタは前記第２コネクタに接続されている請求項６に記載のディスク装置。
【請求項９】
前記第２配線基板ユニットは、前記第１コネクタと第２コネクタとの間に接続された中継コネクタを備えている請求項８に記載のディスク装置。
【発明の詳細な説明】
【技術分野】
【０００１】
この発明の実施形態は、ディスク装置に関する。
【背景技術】
【０００２】
ディスク装置として、例えば、ハードディスクドライブ（ＨＤＤ）は、筐体内に配設された磁気ディスク、磁気ディスクを支持および回転駆動するスピンドルモータ、磁気ヘッドを支持したヘッドアクチュエータ、このヘッドアクチュエータを駆動するボイスコイルモータ、フレキシブルプリント回路基板ユニット等を備えている。
ヘッドアクチュエータは、複数のアームを有するアクチュエータブロックと、アクチュエータブロックの装着孔に装着されたユニットベアリングと、を備えている。各アームには、磁気ヘッドを支持した１本あるいは２本のサスペンションアッセンブリ（ヘッドジンバルアッセンブリ（ＨＧＡ）と称する場合もある）が取り付けられている。ユニットベアリングは、例えば、中空シャフト、複数のボールベアリング、スペーサ、スリーブ等を組合わせて構成されている。
【０００３】
近年、ＨＤＤの記憶容量の増大に伴い、磁気ディスクの設置枚数も増加しつつある。多数枚の磁気ディスクに対応するため、ヘッドアクチュエータをそれぞれ独立して回動可能な複数、例えば、２つのヘッドアクチュエータに分割し、２つのヘッドアクチュエータを積層配置した、いわゆるスプリットアクチュエータが提案されている。一方のヘッドアクチュエータのアクチュエータブロックは、支持シャフトの回りで回動自在に支持されている。他方のヘッドアクチュエータのアクチュエータブロックは、支持シャフトの回りで回動自在に支持され、一方のアクチュエータブロックに軸方向に重ねて配置されている。
【先行技術文献】
【特許文献】
【０００４】
【特許文献１】米国特許第６５６００７５号明細書
【特許文献２】米国特許出願公開第２００２／０３９２５９号明細書
【特許文献３】特開２００６−３１９６９１５号公報
【発明の概要】
【発明が解決しようとする課題】
【０００５】
上記のようなスプリットアクチュエータにおいて、２つのアクチュエータアッセンブリに設けられた２つのユニットベアリングは、共通の中空シャフトを有し、実質的に一体に構成されている。この場合、スプリットアクチュエータを組立てる際、上下一体のユニットベアリングに、２つのアクチュエータアッセンブリのアクチュエータブロックがユニットベアリングに順番に組み付けられるが、その際、アクチュエータブロック間の位置を高い精度で位置決めする必要がある。高い寸法精度を出すためには、位置決め機構が複雑化するとともに組立作業が煩雑となる。
この発明は以上の点に鑑みなされたもので、その課題は、組立性が向上したディスク装置を提供することにある。
【課題を解決するための手段】
【０００６】
実施形態によれば、ディスク装置は、それぞれ記録層を有する複数のディスク状の記録媒体と、第１軸受ユニットを介して支持シャフトに回動自在に支持された第１アクチュエータブロックと、前記第１アクチュエータブロックから延出したアームおよびサスペンションアッセンブリと、前記サスペンションアッセンブリに支持された磁気ヘッドと、を有する第１アクチュエータアッセンブリと、第２軸受ユニットを介して前記支持シャフトに回動自在に支持された第２アクチュエータブロックと、前記第２アクチュエータブロックから延出したアームおよびサスペンションアッセンブリと、前記サスペンションアッセンブリに支持された磁気ヘッドと、を有する第２アクチュエータアッセンブリと、を備えている。前記第１軸受ユニットは、前記支持シャフトに同軸的に装着された第１シャフトと、前記第１アクチュエータブロックに固定され前記第１シャフトの周囲に同軸的に配置された第１スリーブと、前記第１シャフトと第１スリーブとの間に配置された少なくとも１つのベアリングと、を有している。前記第２軸受ユニットは、前記支持シャフトに同軸的に装着され前記第１シャフトと別体の第２シャフトと、前記第２アクチュエータブロックに固定され前記第２シャフトの周囲に同軸的に配置された第２スリーブと、前記第２シャフトと第２スリーブとの間に配置された少なくとも１つのベアリングと、を有し、前記第２シャフトの軸方向一端は、前記第１シャフトの軸方向一端に対向している。
【図面の簡単な説明】
【０００７】
【図１】図１は、第１の実施形態に係るハードディスクドライブ（ＨＤＤ）をトップカバーを分解して示す斜視図。
【図２】図２は、前記ＨＤＤのアクチュエータアッセンブリおよび配線基板ユニットを示す斜視図。
【図３】図３は、整列状態の前記アクチュエータアッセンブリの斜視図。
【図４】図４は、前記アクチュエータアッセンブリのヘッドサスペンションアッセンブリを示す斜視図。
【図５】図５は、前記アクチュエータアッセンブリのアクチュエータブロックおよび軸受ユニット部分の断面図。
【図６】図６は、前記アクチュエータアッセンブリのＦＰＣユニット側面図。
【図７】図７は、前記ＦＰＣユニットを示す斜視図。
【図８Ａ】図８Ａは、第１アクチュエータアッセンブリの組立工程を示す斜視図。
【図８Ｂ】図８Ｂは、第１アクチュエータアッセンブリの組立工程を示す斜視図。
【図８Ｃ】図８Ｃは、第１アクチュエータアッセンブリの組立工程を示す斜視図。
【図８Ｄ】図８Ｄは、第１アクチュエータアッセンブリの組立工程を示す斜視図。
【図８Ｅ】図８Ｅは、第１アクチュエータアッセンブリの組立工程を示す斜視図。
【図８Ｆ】図８Ｆは、第２アクチュエータアッセンブリの組立工程を示す斜視図。
【図８Ｇ】図８Ｇは、第２アクチュエータアッセンブリの組立工程を示す斜視図。
【図８Ｈ】図８Ｈは、第２アクチュエータアッセンブリの組立工程を示す斜視図。
【図９】図９は、第１変形例に係るアクチュエータアッセンブリのアクチュエータブロックおよび軸受ユニット部分の断面図。
【図１０】図１０は、第２変形例に係るアクチュエータアッセンブリのアクチュエータブロックおよび軸受ユニット部分の断面図。
【図１１】図１１は、第３変形例に係るアクチュエータアッセンブリのアクチュエータブロックおよび軸受ユニット部分の断面図。
【図１２】図１２は、第４変形例に係るアクチュエータアッセンブリのＦＰＣユニットを示す側面図。
【図１３】図１３は、第４変形例に係るアクチュエータアッセンブリのＦＰＣユニットを示す斜視図。
【図１４】図１４は、第５変形例に係るアクチュエータアッセンブリのＦＰＣユニットを示す側面図。
【図１５】図１５は、第５変形例に係るアクチュエータアッセンブリのＦＰＣユニットを示す斜視図。
【発明を実施するための形態】
【０００８】
以下図面を参照しながら、実施形態に係るディスク装置ついて説明する。  
なお、開示はあくまで一例にすぎず、当業者において、発明の主旨を保っての適宜変更であって容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００９】
（第１の実施形態）  
ディスク装置として、第１の実施形態に係るハードディスクドライブ（ＨＤＤ）について詳細に説明する。  
図１は、トップカバーを外して示す第１の実施形態に係るＨＤＤの斜視図である。  
ＨＤＤは、偏平なほぼ矩形状の筐体１０を備えている。筐体１０は、上面の開口した矩形箱状のベース１２と、トップカバー１４と、を有している。ベース１２は、トップカバー１４と隙間を置いて対向する矩形状の底壁１２ａと、底壁の周縁に沿って立設された側壁１２ｂとを有し、例えば、アルミニウムにより一体に成形されている。トップカバー１４は、例えば、ステンレスにより矩形板状に形成されている。トップカバー１４は、複数のねじ１３によりベース１２の側壁１２ｂ上にねじ止めされ、ベース１２の上部開口を閉塞する。
【００１０】
筐体１０内に、記録媒体としての複数枚、例えば、７枚の磁気ディスク１８、および磁気ディスク１８を支持および回転させる駆動部としてのスピンドルモータ１９が設けられている。スピンドルモータ１９は、底壁１２ａ上に配設されている。各磁気ディスク１８は、例えば、直径９６ｍｍ（約３．５インチ）に形成され、その上面および／または下面に磁気記録層を有している。磁気ディスク１８は、スピンドルモータ１９の図示しないハブに互いに同軸的に嵌合されているとともに、クランプばね２０によりクランプされハブに固定されている。一例では、７枚の磁気ディスク１８が所定の間隔を置いて、互いに平行に積層配置されている。また、磁気ディスク１８は、ベース１２の底壁１２ａと平行に位置した状態に支持されている。複数枚の磁気ディスク１８は、スピンドルモータ１９により所定の回転数で回転される。  
なお、磁気ディスクは７枚に限定されることなく、増減可能である。
【００１１】
筐体１０内には、磁気ディスク１８に対して情報の記録、再生を行なう複数の磁気ヘッド１７、および、これらの磁気ヘッド１７を磁気ディスク１８に対して移動自在に支持したヘッドアクチュエータアッセンブリが設けられている。本実施形態では、ヘッドアクチュエータアッセンブリは、複数のアクチュエータアッセンブリ、例えば、第１アクチュエータアッセンブリ２２Ａおよび第２アクチュエータアッセンブリ２２Ｂに分割されたスプリットアクチュエータアッセンブリとして構成されている。第１および第２アクチュエータアッセンブリ２２Ａ、２２Ｂは、ベース１２の底壁１２ａに立設された共通の支持シャフト（枢軸）２６の回りで回動自在に支持されている。  
筐体１０内には、第１および第２アクチュエータアッセンブリ２２Ａ、２２Ｂを回動および位置決めするボイスコイルモータ（ＶＣＭ）２４、磁気ヘッド１７が磁気ディスク１８の最外周に移動した際、磁気ヘッド１７を磁気ディスク１８から離間したアンロード位置に保持するランプロード機構２５、および変換コネクタ等の電子部品が実装された配線基板ユニット（ＦＰＣユニット）２１が設けられている。  
【００１２】
底壁１２ａの外面には、図示しないプリント回路基板がねじ止めされている。プリント回路基板は制御部を構成し、この制御部は、スピンドルモータ１９の動作を制御するとともに、配線基板ユニット２１を介してＶＣＭ２４および磁気ヘッド１７の動作を制御する。
【００１３】
図２は、スプリットアクチュエータアッセンブリおよびＦＰＣユニットを有するヘッドアクチュエータアッセンブリを示す斜視図、図３は、整列状態のスプリットアクチュエータアッセンブリの側面図である。
図２および図３に示すように、スプリットアクチュエータアッセンブリは、第１アクチュエータアッセンブリ２２Ａおよび第２アクチュエータアッセンブリ２２Ｂを有している。第１および第２アクチュエータアッセンブリ２２Ａ、２２Ｂは、互いに重ねて配置され、また、ベース１２の底壁１２ａに立設された共通の支持シャフト２６の回りで互いに独立して回動可能に設けられている。第１アクチュエータアッセンブリ２２Ａおよび第２アクチュエータアッセンブリ２２Ｂは、ほぼ同一の構造に構成されている。一例では、上側に配置されたアクチュエータアッセンブリを第１アクチュエータアッセンブリ２２Ａ、下側に配置されたアクチュエータアッセンブリを第２アクチュエータアッセンブリ２２Ｂとしている。
【００１４】
第１アクチュエータアッセンブリ２２Ａは、アクチュエータブロック（第１アクチュエータブロック）２９と、アクチュエータブロック２９から延出した４本のアーム３０と、各アーム３０に取付けられたヘッドサスペンションアッセンブリ（ヘッドジンバルアッセンブリ（ＨＧＡ）と称する場合もある）３２と、ヘッドサスペンションアッセンブリに支持された磁気ヘッド１７と、を備えている。アクチュエータブロック２９は内孔３１を有し、この内孔３１に軸受ユニット（ユニット軸受）５０が装着されている。アクチュエータブロック２９は、軸受ユニット５０により、支持シャフト２６に回動自在に支持されている。軸受ユニット５０の構成については後述する。
本実施形態において、アクチュエータブロック２９および４本のアーム３０はアルミニウム等により一体に成形され、いわゆるＥブロックを構成している。アーム３０は、例えば、細長い平板状に形成され、アクチュエータブロック２９から支持シャフト２６と直交する方向に延出している。４本のアーム３０は、互いに隙間を置いて、平行に設けられている。
【００１５】
第１アクチュエータアッセンブリ２２Ａは、アクチュエータブロック２９からアーム３０と反対の方向へ延出する支持フレーム３４を有している。ボイスコイル３６が支持フレーム３４に支持されている。図１および図２に示すように、ボイスコイル３６は、ベース１２に設置された一対のヨーク３８間に位置し、これらのヨーク３８、および何れかのヨーク３８に固定された磁石３９とともにＶＣＭ２４を構成している。
【００１６】
図２および図３に示すように、第１アクチュエータアッセンブリ２２Ａは、７本のヘッドサスペンションアッセンブリ３２を備え、これらのヘッドサスペンションアッセンブリ３２は各アーム３０の延出端にそれぞれ取付けられている。複数のヘッドサスペンションアッセンブリ３２は、磁気ヘッド１７を上向きに支持するアップヘッドヘッドサスペンションアッセンブリと、磁気ヘッド１７を下向きに支持するダウンヘッドヘッドサスペンションアッセンブリと、を含んでいる。これらのアップヘッドおよびダウンヘッドサスペンションアッセンブリは、同一構造のヘッドサスペンションアッセンブリを上下向きを変えて配置することにより構成される。本実施形態では、第１アクチュエータアッセンブリ２２Ａにおいて、最上部のアーム３０にダウンヘッドサスペンションアッセンブリが取付けられ、他の４本のアーム３０の各々に、アップヘッドサスペンションアッセンブリおよびダウンヘッドサスペンションアッセンブリの２本のヘッドサスペンションアッセンブリ３２が取り付けられている。
【００１７】
７本のヘッドサスペンションアッセンブリ３２は、４本のアーム３０から延出し、互いにほぼ平行に、かつ、所定の間隔を置いて配置されている。最下部のダウンヘッドサスペンションアッセンブリ３２を除いて、他の４組のダウンヘッドサスペンションアッセンブリおよびアップヘッドサスペンションアッセンブリに支持された２つの磁気ヘッド１７は、所定の間隔を置いて互いに向かい合って位置している。これらの磁気ヘッド１７は、対応する磁気ディスク１８の両面に対向して位置する。なお、最下部のダウンヘッドサスペンションアッセンブリ３２の磁気ヘッド１７は、後述する第２アクチュエータアッセンブリ２２Ｂの最上部のアップヘッドサスペンションアッセンブリ３２の磁気ヘッド１７との間に配置される磁気ディスク１８の上面に対向して位置する。
【００１８】
図４は、ヘッドサスペンションアッセンブリの一例を示す斜視図である。図示のように、サスペンションアッセンブリ３２は、ほぼ矩形状のベースプレート７０と、細長い板ばね状のロードビーム７２と、細長い帯状のフレキシャ（配線部材）７４と、を有している。ロードビーム７２は、その基端部がベースプレート７０の端部に重ねて固定されている。ロードビーム７２は、ベースプレート７０から延出し、延出端に向かって先細に形成されている。ベースプレート７０およびロードビーム７２は、例えば、ステンレスにより形成されている。一例では、ベースプレート７０の板厚は、１５０μｍ程度に、ロードビーム７２の板厚は、２５〜３０μｍ程度に形成されている。
【００１９】
ベースプレート７０は、その基端部に円形の開口３３およびこの開口３３の周囲に位置する円環状の突起部７３を有している。ベースプレート７０は、基端部側がアーム３０の先端部に重ねて配置される。アーム３０に形成されたかしめ孔にベースプレート７０の突起部７３を嵌合し、この突起部７３をかしめることで、ベースプレート７０はアーム３０の先端部に締結されている。  
ロードビーム７２の基端部は、ベースプレート７０の先端部に重ねて配置され、複数個所を溶接することによりベースプレート７０に固定されている。
【００２０】
フレキシャ７４は、ステンレス等の金属板（裏打ち層）と、金属板上に形成された絶縁層と、絶縁層上に形成され複数の配線（配線パターン）を構成する導電層と、導電層を覆うカバー層（保護層、絶縁層）と、を有し、細長い帯状の積層板をなしている。フレキシャ７４は、先端側部分７４ａと基端側部分７４ｂとを有している。先端側部分７４ａは、ロードビーム７２およびベースプレート７０の表面上に取付けられている。基端側部分７４ｂは、ベースプレート７０の側縁から外側に延出し、更に、アーム３０に沿ってアーム３０の基端部まで延びている。  
先端側部分７４ａの一部は、変位自在なジンバル部（弾性支持部）７６を構成している。ジンバル部７６は、ロードビーム７２上に位置している。磁気ヘッド１７はジンバル部７６に搭載されている。フレキシャ７４の配線は、磁気ヘッド１７のリード素子、ライト素子、ヒータ、その他の部材に電気的に接続されている。
【００２１】
フレキシャ７４の基端側部分７４ｂは、ベースプレート７０の側縁から外側へ出た後、アーム３０の側面に形成されたスリット内を通って、アーム３０の基端およびアクチュエータブロック２９まで延びている。基端側部分７４ｂの後端にフレキシャ７４の接続端部（テール接続端子部）７５が形成されている。接続端部７５は、細長い矩形状に形成されている。接続端部７５は、基端側部分７４ｂに対してほぼ直角に折り曲げられ、アーム３０に対してほぼ垂直に位置している。  
接続端部７５には複数、例えば、９個の接続端子（接続パッド）７８が設けられている。これらの接続端子７８は、フレキシャ７４の配線にそれぞれ接続されている。すなわち、フレキシャ７４の配線は、フレキシャ７４のほぼ全長に亘って延び、一端は磁気ヘッド１７に電気的に接続され、他端は、接続端子７８に電気的に接続されている。
【００２２】
図３に示すように、９つの接続端部７５は、アクチュエータブロック２９の設置面に設けられたフレキシブルプリント配線基板（ＦＰＣ）の接合部（配線基板）４６に接合されている。各接続端部７５の接続端子７８は、接合部４６に設けられた図示しない接続端子にハンダ接合され、接合部４６に電気的かつ機械的に接合されている。９つの接続端部７５は、支持シャフト２６の軸方向に並んで配置され、互いにほぼ平行に隣接して配置されている。
【００２３】
一方、第２アクチュエータアッセンブリ２２Ｂは、第１アクチュエータアッセンブリ２２Ａとほぼ同一の構成を有している。すなわち、図２、図３、図４に示すように、第２アクチュエータアッセンブリ２２Ｂは、軸受ユニット５０を内蔵したアクチュエータブロック（第２アクチュエータブロック）２９と、アクチュエータブロック２９から延出する４本のアーム３０と、それぞれアーム３０に取り付けられた７本のヘッドサスペンションアッセンブリ３２と、各ヘッドサスペンションアッセンブリに搭載された磁気ヘッド１７と、ボイスコイル３６を支持した支持フレーム３４と、を有している。
【００２４】
アクチュエータブロック２９は、軸受ユニット５０を介して、支持シャフト２６に回転自在に支持されている。アクチュエータブロック（第２アクチュエータブロック）２９は、支持シャフト２６の基端部（底壁１２ａ側の半分部）に支持され、第１アクチュエータブロック２９の下方に同軸的に配置されている。アクチュエータブロック（第２アクチュエータブロック）２９は、第１アクチュエータブロック２９と僅かな隙間を置いて対向している。
【００２５】
第２アクチュエータアッセンブリ２２Ｂにおいては、最下部のアーム３０にアップヘッドサスペンションアッセンブリ３２が取付けられ、他の４本のアーム３０の各々に、アップヘッドサスペンションアッセンブリ３２およびダウンヘッドサスペンションアッセンブリ３２の２本のヘッドサスペンションアッセンブリが取り付けられている。第２アクチュエータアッセンブリ２２Ｂのボイスコイル３６は、ベース１２に設置された一対のヨーク３８間に位置し、これらのヨーク３８、および何れかのヨークに固定された磁石３９とともにＶＣＭ２４を構成している。  
第１アクチュエータアッセンブリ２２Ａを駆動するＶＣＭ２４と、第２アクチュエータアッセンブリ２２Ｂを駆動するＶＣＭ２４とは、互いに独立して設けられている。これにより、第１アクチュエータアッセンブリ２２Ａおよび第２アクチュエータアッセンブリ２２Ｂは、それぞれ独立して駆動（回動）可能である。
【００２６】
次に、アクチュエータアッセンブリの軸受ユニット５０の構成について説明する。図５は、アクチュエータブロックおよび軸受ユニットの断面図である。
以下、第１アクチュエータアッセンブリ２２Ａの構成要素に「第１」を付加して説明し、第２アクチュエータアッセンブリ２２Ｂの構成要素に「第２」を付加して説明する。  
図５に示すように、第１アクチュエータアッセンブリ２２Ａの第１軸受ユニット５０と第２アクチュエータアッセンブリ２２Ｂの第２軸受ユニット５０とは、互いに分離した独立の軸受ユニットとして構成され、それぞれ第１アクチュエータブロック２９および第２アクチュエータブロック２９に別々に装着されている。
詳細に述べると、ベース１２の底壁１２ａに支持シャフト２６が立設されている。一例では、支持シャフト２６は、底壁１２ａと一体に成形され、底壁１２ａに対してほぼ垂直に立設されている。支持シャフト２６は、基端外周に設けられた環状のフランジ（台座）２６ｂを一体に有している。
第１、第２アクチュエータアッセンブリ２２Ａ、２２Ｂの第１、第２アクチュエータブロック２９の各々は、支持シャフト２６と直交して延在する上端面２９ａおよび下端面２９ｂを有している。内孔３１は、アクチュエータブロック２９を貫通して形成され、上端面２９ａおよび下端面２９ｂに開口している。また、内孔３１は、支持シャフト２６と同軸的に形成されている。
【００２７】
第１軸受ユニット５０は、ほぼ円筒形状の第１中空シャフト５１ａと、第１中空シャフト５１ａの周囲に同軸的に配置されたほぼ円筒形状の第１スリーブ５２ａと、第１中空シャフト５１ａと第１スリーブ５２ａとの間に嵌合された複数、例えば、２つのボールベアリング５４ａ、５４ｂと、を有している。
第１中空シャフト５１ａの内径は、支持シャフト２６の外径よりも僅かに大きく形成されている。但し、第１中空シャフト５１ａの軸方向上端部の内径は、支持シャフト２６の外径よりも小さく形成されている。
第１スリーブ５２ａは、第１アクチュエータブロック２９の高さとほぼ等しい、軸方向長さを有している。第１スリーブ５２ａの外径は、内孔３１の径とほぼ等しく形成されている。第１スリーブ５２ａの内径は、第１中空シャフト５１ａの外径よりも大きく形成されている。第１スリーブ５２ａは、その内周面の軸方向中間部から軸中心に向って突出した環状の凸部５３を一体に有している。第１スリーブ５２ａは、第１中空シャフト５１ａに対して、軸方向の一方、ここでは、上方に僅かにずれて配置されている。これにより、第１中空シャフト５１ａの上端は、第１スリーブ５２ａの上端よりも僅かに下方にずれて位置し、第１中空シャフト５１ａの下端は、第１スリーブ５２ａの下端から下方に僅かに突出している。
【００２８】
一方のボールベアリング５４ａは、インナーレースが第１中空シャフト５１ａの外周面に嵌合し、アウターレースがスリーブ５２の内周面に嵌合した状態で、第１スリーブ５２ａの上端部内に配置されている。他方のボールベアリング５４ｂは、インナーレースが第１中空シャフト５１ａの外周面に嵌合し、アウターレースが第１スリーブ５２ａの内周面に嵌合した状態で、第１スリーブ５２ａの下端部内に配置されている。凸部５３は、ボールベアリング５４ａ、５４ｂの間に位置し、スペーサとして機能している。
第１スリーブ５２ａの上端部内周に環状のキャップ５８ａが取り付けられている。キャップ５８ａは、上側のボールベアリング５４ａと僅かな隙間を置いて対向している。キャップ５８ａは、ボールベアリング５４ａからのグリースの飛散を防止するカバーとして機能している。
【００２９】
上記のように構成された第１軸受ユニット５０の第１スリーブ５２ａは、第１アクチュエータブロック２９の内孔３１内に嵌合され、接着剤等により第１アクチュエータブロック２９に固定されている。第１スリーブ５２ａは、内孔３１と同軸的に位置し、軸方向上端および下端は、第１アクチュエータブロック２９の上端面２９ａおよび下端面２９ｂとほぼ整列している。第１中空シャフト５１ａの軸方向下端部は、第１アクチュエータブロック２９の下端面２９ｂから僅かに下方に突出している。
第１アクチュエータブロック２９に装着された第１軸受ユニット５０は、第１中空シャフト５１ａを支持シャフト２６の上端部に嵌合することにより、支持シャフト２６に取付けられている。
【００３０】
一方、第２アクチュエータアッセンブリ２２Ｂの軸受ユニット（第２軸受ユニット）５０は、第１アクチュエータアッセンブリ２２Ａの軸受ユニット（第１軸受ユニット）５０とほぼ同一の構造を有している。第２アクチュエータアッセンブリ２２Ｂは、軸受ユニット５０を介して、支持シャフト２６の基端側部分に回動自在に支持されている。
詳細には、第２軸受ユニット５０は、ほぼ円筒形状の第２中空シャフト５１ｂと、第２中空シャフト５１ｂの周囲に同軸的に配置されたほぼ円筒形状の第２スリーブ５２ｂと、第２中空シャフト５１ｂと第２スリーブ５２ｂとの間に嵌合された複数、例えば、２つのボールベアリング５４ａ、５４ｂと、を有している。
【００３１】
第２中空シャフト５１ｂの内径は、支持シャフト２６の外径よりも僅かに大きく形成されている。但し、第２中空シャフト５１ｂの軸方向下半分の内径は、支持シャフト２６の外径とほぼ等しく形成されている。第２中空シャフト５１ｂは、その軸方向下端の外周に設けられた環状のフランジ５１ｃを一体に有している。
第２スリーブ５２ｂは、第２アクチュエータブロック２９の高さとほぼ等しい、軸方向長さを有している。第２スリーブ５２ｂの外径は、内孔３１の径とほぼ等しく形成されている。第２スリーブ５２ｂの内径は、第２中空シャフト５１ｂの外径よりも大きく形成されている。第２スリーブ５２ｂは、その内周面の軸方向中間部から軸中心に向って突出した環状の凸部５３を一体に有している。第２スリーブ５２ｂの軸方向上端および下端は、それぞれ第２中空シャフト５１ｂの軸方向上端および下端とほぼ整列して位置している。
【００３２】
一方のボールベアリング５４ａは、インナーレースが第２中空シャフト５１ｂの外周面に嵌合し、アウターレースが第２スリーブ５２ｂの内周面に嵌合した状態で、第２スリーブ５２ｂの上端部内に配置されている。他方のボールベアリング５４ｂは、インナーレースが第２中空シャフト５１ｂの外周面に嵌合し、アウターレースが第２スリーブ５２ｂの内周面に嵌合した状態で、第２スリーブ５２ｂの下端部内に配置されている。凸部５３は、ボールベアリング５４ａ、５４ｂの間に位置し、スペーサとして機能している。
第２スリーブ５２ｂの上端部内周に環状のキャップ５８ｂが取り付けられている。キャップ５８ｂは、上側のボールベアリング５４ａと僅かな隙間を置いて対向している。キャップ５８ｂは、ボールベアリング５４ａからのグリースの飛散を防止するカバーとして機能している。また、第２中空シャフト５１ｂのフランジ５１ｃは、下側のボールベアリング５４ｂと僅かな隙間を置いて対向している。フランジ５１ｃは、ボールベアリング５４ｂからのグリースの飛散を防止するカバーとして機能している。
【００３３】
上記のように構成された第２軸受ユニット５０の第２スリーブ５２ｂは、第２アクチュエータブロック２９の内孔３１内に嵌合され、接着剤等により第２アクチュエータブロック２９に固定されている。第２スリーブ５２ｂは、内孔３１と同軸的に位置し、軸方向上端および下端は、第２アクチュエータブロック２９の上端面２９ａおよび下端面２９ｂとほぼ整列している。
【００３４】
第２アクチュエータアッセンブリ２２Ｂは、第２軸受ユニット５０を介して、支持シャフト２６の基端側部分に回動自在に支持されている。すなわち、第２軸受ユニット５０の第２中空シャフト５１ｂに支持シャフト２６の基端側部分が挿通されている。第２中空シャフト５１ｂは、支持シャフト２６の外周面に嵌合され、フランジ５１ｃは支持シャフト２６の台座２６ｂに当接している。第２スリーブ５２ｂおよび第２アクチュエータブロック２９は、ボールベアリング５４ａ、５４ｂにより、第２中空シャフト５１ｂおよび支持シャフト２６に対して回動自在に支持されている。
【００３５】
前述した第１アクチュエータアッセンブリ２２Ａは、第１軸受ユニット５０を介して、支持シャフト２６の先端側部分に回動自在に支持されている。第１軸受ユニット５０の第１中空シャフト５１ａに支持シャフト２６の先端側部分が挿通されている。第１中空シャフト５１ａは、支持シャフト２６の外周面に嵌合され、更に、第１中空シャフト５１ａの軸方向上端部は、支持シャフト２６の先端を越えて上方に延出しているとともに、支持シャフト２６の先端に当接している。第２スリーブ５２ｂおよび第２アクチュエータブロック２９は、ボールベアリング５４ａ、５４ｂにより、第２中空シャフト５１ｂおよび支持シャフト２６に対して回動自在に支持されている。
【００３６】
第１中空シャフト５１ａの軸方向下端は、第２中空シャフト５１ｂの軸方向上端に当接している。第１中空シャフト５１ａの内孔を通して支持シャフト２６の上端部に固定ねじ６０がねじ込まれている。固定ねじ６０のヘッドは第１中空シャフト５１ａの軸方向上端に当接し、第１中空シャフト５１ａおよび第２中空シャフト５１ｂを台座２６ｂに向かって押圧している。これにより、第１軸受ユニット５０および第２軸受ユニット５０が支持シャフト２６に対して所定の位置に取付け固定されている。また、第１中空シャフト５１ａの下端が第２中空シャフト５１ｂの上端に当接することにより、第２アクチュエータアッセンブリ２２Ｂに対して第１アクチュエータアッセンブリ２２Ａが所定の位置に位置決めされている。すなわち、第１および第２アクチュエータアッセンブリ２２Ａ、２２Ｂは、第１アクチュエータブロック２９の下端面２９ｂと第２アクチュエータブロック２９の上端面２９ａとの間に所定の隙間Ｇが形成されるように位置決めされている。
【００３７】
次に、ヘッドアクチュエータアッセンブリのＦＰＣユニット２１について詳細に説明する。図６は、ＦＰＣユニットの側面図、図７はＦＰＣユニットの背面側を示す斜視図である。  
図２および図６、図７に示すように、ＦＰＣユニット２１は、第１アクチュエータアッセンブリ２２Ａに接続される第１ＦＰＣユニット２１ａと、第２アクチュエータアッセンブリ２２Ｂに接続される第２ＦＰＣユニット２１ｂとに分割して構成されている。
第１ＦＰＣユニット２１ａは、ほぼ矩形状のベース部４２ａ、ベース部４２ａの一側縁から延出した帯状の中継部４４ａ、中継部４４ａの先端に連続して設けられた接合部（第１配線基板）４６ａと、を一体に有している。ベース部４２ａ、中継部４４ａ、および接合部４６ａは、フレキシブルプリント配線基板（ＦＰＣ）により形成されている。フレキシブルプリント配線基板は、ポリイミド等の絶縁層と、この絶縁層上に形成され、配線、接続パッド等を形成する導電層と、導電層を覆う保護層とを有している。
【００３８】
ベース部４２ａ上に、変換コネクタ４７ａ、図示しない複数のコンデンサ等の電子部品が実装され、ＦＰＣの配線に電気的に接続されている。ベース部４２ａに、補強板として機能する金属板４５ａが貼付されている。金属板４５ａおよびベース部４２ａは、ほぼＬ字形状に折曲げられている。ベース部４２ａは、ベース１２の底壁１２ａ上に設置されている。中継部４４ａは、ベース部４２ａの側縁から第１アクチュエータアッセンブリ２２Ａに向かって延びている。中継部４４ａの延出端に設けられた接合部４６ａは、裏打ち板４３ａを介して第１アクチュエータブロック２９の一側面（設置面）に貼付され、更に、固定ねじにより設置面にねじ止め固定されている。
【００３９】
接合部４６ａは、第１アクチュエータブロック２９の設置面よりも僅かに小さい大きさの矩形状に形成されている。接合部４６ａは、フレキシャ７４の接続端部７５に対応する７個の接続パッド群６０を有している。各接続パッド群６０は、１列に並んで設けられた例えば９個の接続パッド６１を有している。各接続パッド６１は、ＦＰＣの配線を介してベース部４２に電気的に接続されている。接合部４６ａ上にヘッドＩＣ（ヘッドアンプ）４８が実装され、このヘッドＩＣ４８は配線を介して接続パッド６１およびベース部４２に接続されている。更に、接合部４６ａは、ボイスコイル３６が接続された接続パッド４９を有している。
【００４０】
図２および図３に示すように、各フレキシャ７４の接続端部７５は、接合部４６ａの対応する接続パッド群６０に重ねて配置され、接続端部７５の９個の接続端子７８はそれぞれ対応する接続パッド６１にハンダで電気的かつ機械的に接合されている。  
これにより、第１アクチュエータアッセンブリ２２Ａの７個の磁気ヘッド１７は、それぞれフレキシャ７４の配線、接続端部７５、第１ＦＰＣユニット２１ａの接合部４６ａ、中継部４４ａを通して、ベース部４２ａに電気的に接続される。更に、ベース部４２ａは、変換コネクタ４７ａを介して、筐体１０の底面側のプリント回路基板に電気的に接続される。
【００４１】
図２および図６、図７に示すように、第２ＦＰＣユニット２１ｂは、ほぼ矩形状のベース部４２ｂ、ベース部４２ｂの一側縁から延出した帯状の中継部４４ｂ、中継部４４ｂの先端に連続して設けられた接合部（第２配線基板）４６ｂと、を一体に有している。ベース部４２ｂ、中継部４４ｂ、および接合部４６ｂは、フレキシブルプリント配線基板（ＦＰＣ）により形成されている。
【００４２】
ベース部４２ｂ上に、変換コネクタ４７ｂ、図示しない複数のコンデンサ等の電子部品が実装され、ＦＰＣの配線に電気的に接続されている。ベース部４２ｂに、補強板として機能する金属板４５ｂが貼付されている。金属板４５ｂおよびベース部４２ｂは、ほぼＬ字形状に折曲げられている。ベース部４２ｂは、第１ＦＰＣユニット２１ａのベース部４２ａと隣接、かつ、整列して配置され、ベース１２の底壁１２ａ上に設置されている。中継部４４ｂは、ベース部４２ｂの側縁から第２アクチュエータアッセンブリ２２Ｂに向かって延びている。中継部４４ｂの延出端に設けられた接合部４６ｂは、裏打ち板４３ｂを介して第２アクチュエータブロック２９の一側面（設置面）に貼付され、更に、固定ねじにより設置面にねじ止め固定されている。
【００４３】
接合部４６ｂは、第２アクチュエータブロック２９の設置面よりも僅かに小さい大きさの矩形状に形成されている。接合部４６ｂは、フレキシャ７４の接続端部７５に対応する７個の接続パッド群６０を有している。各接続パッド群６０は、１列に並んで設けられた例えば９個の接続パッド６１を有している。各接続パッド６１は、ＦＰＣの配線を介してベース部４２ｂに電気的に接続されている。接合部４６ｂ上にヘッドＩＣ（ヘッドアンプ）４８が実装され、このヘッドＩＣ４８は配線を介して接続パッド６１およびベース部４２に接続されている。更に、接合部４６ｂは、ボイスコイル３６が接続された接続パッド４９を有している。
【００４４】
図２および図３に示すように、第２アクチュエータアッセンブリ２２Ｂの各フレキシャ７４の接続端部７５は、接合部４６ａの対応する接続パッド群６０に重ねて配置され、接続端部７５の９個の接続端子７８はそれぞれ対応する接続パッド６１にハンダで電気的かつ機械的に接合されている。
これにより、第２アクチュエータアッセンブリ２２Ｂの７個の磁気ヘッド１７は、それぞれフレキシャ７４の配線、接続端部７５、第２ＦＰＣユニット２１ｂの接合部４６ｂ、中継部４４ｂを通して、ベース部４２ｂに電気的に接続される。更に、ベース部４２ｂは、変換コネクタ４７ｂを介して、筐体１０の底面側のプリント回路基板に電気的に接続される。
【００４５】
次に、上記のように構成されたＨＤＤおよびヘッドアクチュエータアッセンブリの組立て方法について説明する。
図８Ａないし図８Ｅは、第２アクチュエータアッセンブリ２２Ｂの組立て工程をそれぞれ示す斜視図である。
図８Ａに示すように、初めに、第２軸受ユニットおよびヘッドサスペンションアッセンブリが装着されていない状態の第２アクチュエータブロック２９およびアーム３０を用意し、フレーム３４にボイスコイル３６を固定する。
【００４６】
続いて、図８Ｂに示すように、第２ＦＰＣユニット２１ｂを用意し、接合部４６ｂおよび裏打ち板４３ｂを第２アクチュエータブロック２９の設置面に貼付およびねじ止め固定する。
次いで、図８Ｃに示すように、各アーム３０の先端にヘッドサスペンションアッセンブリ３２を取付け、更に、フレキシャ７４の接続端部７５を接合部４６ｂのバッド群に接合する。その後、組み立てられたアッセンブリを洗浄する。
【００４７】
洗浄後、図８Ｄに示すように、第２アクチュエータブロック２９の内孔３１に第２軸受ユニット５０を装着し、第２アクチュエータブロック２９に取付ける。
図８Ｅに示すように、上記のように組み立てられた第２アクチュエータアッセンブリ２２Ｂおよび第２ＦＰＣユニット２１ｂをベース１２に組み込む。すなわち、第２軸受ユニット５０をベース１２の支持シャフト２６に装着し、第２アクチュエータアッセンブリ２２Ｂを支持シャフト２６の回りで回動自在に支持する。また、第２ＦＰＣユニット２１ｂのベース部４２ｂをベース１２の底壁１２ａにねじ止め固定する。なお、ベース部４２ｂの固定は、後述す第１アクチュエータアッセンブリ１１Ａを組み込んだ後、第１ＦＰＣユニット２１ａのベース部４２ａの固定と一緒に行ってもよい。
【００４８】
続いて、あるいは、第２アクチュエータアッセンブリ２２Ｂの組立てと平行して、第１アクチュエータアッセンブリ２２Ａを組み立てる。
図８Ｆに示すように、第１軸受ユニットおよびヘッドサスペンションアッセンブリが装着されていない状態の第１アクチュエータブロック２９を用意し、フレーム３４にボイスコイル３６を固定する。次いで、第１ＦＰＣユニット２１ａを用意し、接合部４６ａおよび裏打ち板４３ａを第１アクチュエータブロック２９の設置面に貼付およびねじ止め固定する。各アーム３０の先端にヘッドサスペンションアッセンブリ３２を取付けた後、フレキシャ７４の接続端部７５を接合部４６ａのバッド群に接合する。その後、組み立てられたアッセンブリを洗浄する。
【００４９】
洗浄後、図８Ｇに示すように、第１アクチュエータブロック２９の内孔３１に第１軸受ユニット５０を装着し、第１アクチュエータブロック２９に取付ける。
図８Ｈに示すように、上記のように組み立てられた第１アクチュエータアッセンブリ２２Ａおよび第１ＦＰＣユニット２１ａをベース１２に組み込む。すなわち、第１軸受ユニット５０をベース１２の支持シャフト２６に装着し、第１アクチュエータアッセンブリ２２Ｂを支持シャフト２６の回りで回動自在に支持する。第１軸受ユニット５０を支持シャフト２６の上半部に装着した後、固定ねじ６０を支持シャフト２６にねじ込んで、第１軸受ユニット５０および第２軸受ユニット５０を支持シャフト２６の所定位置に位置決め固定する。
また、第１ＦＰＣユニット２１ａのベース部４２ａをベース１２の底壁１２ａにねじ止め固定する。なお、ベース部４２ａの固定は、前述した第２ＦＰＣユニット２１ｂのベース部４２ｂの固定と一緒に行ってもよい。  
以上により、スプリットアクチュエータアッセンブリの組立て、およびベース１２への組み込み作業が終了する。
【００５０】
以上のように構成された第１の実施形態に係るＨＤＤおよびアクチュエータアッセンブリによれば、アクチュエータアッセンブリの第１軸受ユニットおよび第２軸受ユニットは、独立した第１中空シャフトおよび第２中空シャフトを有し、完全に分離した独立の軸受ユニットとして構成されている。そのため、アクチュエータアッセンブリを組立てる際、第１アクチュエータアッセンブリ２２Ａと第２アクチュエータアッセンブリ２２Ｂとを別々に組み立てることが可能となり、上下のアクチュエータアッセンブリ間の間隔調整プロセスを除外することができ、組立・分解・管理が容易になる。
また、本実施形態によれば、ＦＰＣユニットを第１アクチュエータアッセンブリ２２Ａ用の第１ＦＰＣユニット２１ａと、第２アクチュエータアッセンブリ２２Ｂ用の第２ＦＰＣユニット２１ｂとに完全に分割している。そのため、上下のアクチュエータアッセンブリを従来と同様の工程で組み立てることができ、組立・管理が容易となる。更に、ＦＰＣユニットをアクチュエータブロックに固定した後、洗浄し、最後に、軸受ユニットを組み立てることが可能となる。これにより、構成部品のクリーンネスを保つことができる。  
以上のことから、第１の実施形態によれば、組立性が向上したディスク装置を提供することができる。
【００５１】
次に、軸受ユニットの変形例およびＦＰＣユニットの変形例について説明する。以下に述べる種々の変形例において、上述した第１の実施形態と同一の部分には、同一の参照符号を付してその詳細な説明を省略あるいは簡略化し、第１の実施形態と異なる部分を中心に説明する。  
（第１変形例）  
図９は、第１変形例に係るアクチュエータアッセンブリの軸受ユニットを示す断面図である。
図示のように、第１変形例によれば、第１軸受ユニット５０の第１中空シャフト５１ａは、軸方向下端部に設けられた環状のフランジ５１ｄを一体に有している。フランジ５１ｄは、第２軸受ユニット５０の第２中空シャフト５１ｂの軸方向上端およびキャップ５８ｂに当接し、第２軸受ユニット５０に対して第１軸受ユニット５０を位置決めしている。また、フランジ５１ｄは、下側のボールベアリング５４ｂと僅かな隙間を置いて対向している。フランジ５１ｄは、ボールベアリング５４ｂからのグリースの飛散を防止するカバーとして機能している。更に、フランジ５１ｄは、下側のボールベアリング５４ｂとの間、および第２軸受ユニット５０の上端部との間、にラビリンス構造部を形成し、第１軸受ユニット５０と第２軸受ユニット５０との境界からのグリースの飛散を一層確実に抑制する。
第１変形例において、第１軸受ユニットおよび第２軸受ユニットの他の構成は、前述した第１の実施形態における軸受ユニットと同一である。
【００５２】
（第２変形例）  
図１０は、第２変形例に係るアクチュエータアッセンブリの軸受ユニットを示す断面図である。  
図示のように、第２変形例によれば、第１軸受ユニット５０の第１中空シャフト５１ａは、軸方向下端部に設けられた環状のフランジ５１ｄを一体に有している。第１中空シャフト５１ａの軸方向上端部は、第１中空シャフト５１ａの他の部分の内径と等しい内径に形成されている。更に、第１中空シャフト５１ａの長さを延長することにより、あるいは、第１スリーブ５２aの軸方向長さを短くすることにより、第１中空シャフト５１ａの軸方向上端と第１スリーブ５２ａの軸方向上端と高さ方向に整列して位置している。
これにより、第１軸受ユニット５０と第２軸受ユニット５０とは、ほぼ同一構造、同一形状となり、構成部品を共用することが可能となる。同時に、軸受ユニット間の干渉を無くし、第１アクチュエータアッセンブリ２２Ａおよび第２にアクチュエータアッセンブリ２２Ｂの円滑な動作を実現することができる。
【００５３】
（第３変形例）  
図１１は、第３変形例に係るアクチュエータアッセンブリの軸受ユニットを示す断面図である。  
図示のように、第３変形例によれば、第１軸受ユニット５０の第１中空シャフト５１ａは、軸方向下端部に設けられた環状のフランジ５１ｄを一体に有している。第１中空シャフト５１ａの軸方向上端部は、第１中空シャフト５１ａの他の部分の内径と等しい内径に形成されている。更に、第１中空シャフト５１ａの軸方向上端は、第１スリーブ５２ａの軸方向上端よりも僅かに上方に突出している。逆に、第１スリーブ５２ａの軸方向下端は、第１中空シャフト５１ａの軸方向下端と整列している。
第２軸受ユニット５０は、第１軸受ユニット５０と同一構造、同一形状、同一寸法に形成されている。第２中空シャフト５１ｂの軸方向上端部は、第２スリーブ５２ｂの軸方向上端よりも僅かに上方に突出し、第１中空シャフト５１ａの軸方向下端に当接している。
【００５４】
上記のように構成された第３変形例においても、第１軸受ユニット５０と第２軸受ユニット５０とを、ほぼ同一構造、同一形状、同一寸法とすることにより、構成部品を共用することが可能となる。同時に、軸受ユニット間の干渉を無くし、第１アクチュエータアッセンブリ２２Ａおよび第２にアクチュエータアッセンブリ２２Ｂの円滑な動作を実現することができる。
【００５５】
（第４変形例）  
図１２は、第４変形例に係るＦＰＣユニットの側面図、図１３は、ＦＰＣユニットの背面側を示す斜視図である。
前述した第１の実施形態において、第１ＦＰＣユニット２１ａのベース部４２ａと第２ＦＰＣユニット２１ｂのベース部４２ｂとは、ほぼ同一平面に並んで設けられた構成としている。図１２および図１３に示すように、第４変形例によれば、第１ＦＰＣユニット２１ａのベース部４２ａおよび金属板４５ａと、第２ＦＰＣユニット２１ｂのベース部４２ｂおよび金属板４５ｂとは、実質的に同一の形状、同一構造、同一寸法に形成されている。ベース部４２ａおよび金属板４５ａは、ほぼ矩形状に形成され、幅方向の中央部で直角に折曲げられている。ベース部４２ａの水平部分（ベースの底壁１２ａと対向する部分）に変換コネクタ４７ａが実装されている。
同様に、第２ＦＰＣユニット２１ｂのベース部４２ｂおよび金属板４５ｂは、ほぼ矩形状に形成され、幅方向の中央部で直角に折曲げられている。ベース部４２ｂの水平部分（ベースの底壁１２ａと対向する部分）に変換コネクタ４７ｂが実装されている。
【００５６】
第１ＦＰＣユニット２１ａのベース部４２ａおよび金属板４５ａは、第２ＦＰＣユニットのベース部４２ｂおよび金属板４５ｂに高さ方向（底壁１２ａに垂直な方向）に重ねて配置されている。すなわち、ベース部４２ａおよび金属板４５ａの水平部分、並びに、変換コネクタ４７ａは、ベース部４２ｂおよび金属板４５ｂの水平部分に重ねて配置され、変換コネクタ４７ａは、第２ＦＰＣユニット２１ｂの変換コネクタ４７ｂに上から接続されている。また、ベース部４２ａおよび金属板４５ａの垂直部分は、ベース部４２ｂおよび金属板４５ｂの垂直部分と部分的に厚さ方向に重なって配置されている。  
このように、第４変形例によれば、互いに独立した第１ＦＰＣユニット２１ａおよび第２ＦＰＣユニット２１ｂを設けることにより、上下のアクチュエータアッセンブリを従来と同様の工程で組み立てることができ、組立・管理が容易となる。
【００５７】
（第５変形例）  
図１４は、第５変形例に係るＦＰＣユニットを有するヘッドアクチュエータアッセンブリの斜視図、図１５は、前記ヘッドアクチュエータアッセンブリの側面図である。
第５変形例によれば、上述した第４変形例に対して、第１ＦＰＣユニット２１ａおよび第２ＦＰＣユニット２１ｂは、中継コネクタ６２ａ、６２ｂを更に備えている。中継コネクタ６２ａは、第１ＦＰＣユニット２１ａのベース部４２ａ上に実装され、変換コネクタ４７ａと対向して、すなわち、変換コネクタ４７ａの反対側に配置されている。中継コネクタ６２ａは、図示しない配線を介して、変換コネクタ４７ａに電気的に接続されている。  
中継コネクタ６２ｂは、第２ＦＰＣユニット２１ｂのベース部４２ｂ上に実装され、変換コネクタ４７ｂと対向して、すなわち、変換コネクタ４７ｂの反対側に配置されている。中継コネクタ６２ｂは、図示しない配線を介して、変換コネクタ４７ｂに電気的に接続されている。
【００５８】
第１ＦＰＣユニット２１ａのベース部４２ａおよび金属板４５ａの水平部分、並びに、変換コネクタ４７ａは、第２ＦＰＣユニット２１ｂのベース部４２ｂおよび金属板４５ｂの水平部分に高さ方向に重ねて配置されている。変換コネクタ４７ａは、第２ＦＰＣユニット２１ｂの中継コネクタ６２ｂに接続され、この中継コネクタ６２ｂを介して変換コネクタ４７ｂに電気的に接続されている。  
中継コネクタ６２ｂにより、ベース部４２ａとベース部４２ｂとの間の間隔（高さ）が十分に取られているため、ベース部４２ａおよび金属板４５ａの垂直部分は、ベース部４２ｂおよび金属板４５ｂの垂直部分と厚さ方向に重なることなく、高さ方向に整列して配置されている。
第５変形例において、ＦＰＣユニットの他の構成は第４変形例と同一である。第５変形例においても、前述した第４変形例と同様の作用効果を得ることができる。また、中継コネクタを設けた分だけ、ベース部および金属板を小型化することが可能となる。
【００５９】
本発明は上述した実施形態あるいは変形例そのままに限定されるものではなく、実施段階ではその要旨を逸脱しない範囲で構成要素を変形して具体化できる。また、上記実施形態および変形例に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
ヘッドアクチュエータアッセンブリは、第１および第２の２つに限らず、３つ以上のアクチュエータアッセンブリに分割することも可能である。磁気ディスクは７枚に限らず、８枚以上あるいは６枚以下としてもよく、ヘッドサスペンションアッセンブリの数および磁気ヘッドの数も磁気ディスクの設置枚数に応じて増減すればよい。フレキシャの接続端部において、接続端子の数は９個に限らず、必要に応じて増減可能である。ディスク装置を構成する要素の材料、形状、大きさ等は、上述した実施形態に限定されることなく、必要に応じて種々変更可能である。
【符号の説明】
【００６０】
１０…筺体、１２…ベース、１２ａ…底壁、１２ｂ…側壁、１４…トップカバー、  
１７…磁気ヘッド、１８…磁気ディスク、１９…スピンドルモータ、  
２１…ＦＰＣユニット、２１ａ…第１ＦＰＣユニット、２１ｂ…第２ＦＰＣユニット、
２２Ａ…第１アクチュエータアッセンブリ、  
２２Ｂ…第２アクチュエータアッセンブリ、２６…支持シャフト（枢軸）、  
２９…アクチュエータブロック、３０…アーム、  
３２…ヘッドサスペンションアッセンブリ、５４…フレキシャ（配線部材）、  
４２ａ、４２ｂ…ベース部、４４ａ、４４ｂ…中継部、４６ａ、４６ｂ…接合部、  
５１ａ…第１中空シャフト、５１ｂ…第２中空シャフト、５２ａ…第１スリーブ、  
５２ｂ…第２スリーブ、７５…接続端部
【図１】
2020155176.tif 000003
【図２】
2020155176.tif 000004
【図３】
2020155176.tif 000005
【図４】
2020155176.tif 000006
【図５】
2020155176.tif 000007
【図６】
2020155176.tif 000008
【図７】
2020155176.tif 000009
【図８Ａ】
2020155176.tif 000010
【図８Ｂ】
2020155176.tif 000011
【図８Ｃ】
2020155176.tif 000012
【図８Ｄ】
2020155176.tif 000013
【図８Ｅ】
2020155176.tif 000014
【図８Ｆ】
2020155176.tif 000015
【図８Ｇ】
2020155176.tif 000016
【図８Ｈ】
2020155176.tif 000017
【図９】
2020155176.tif 000018
【図１０】
2020155176.tif 000019
【図１１】
2020155176.tif 000020
【図１２】
2020155176.tif 000021
【図１３】
2020155176.tif 000022
【図１４】
2020155176.tif 000023
【図１５】
2020155176.tif 000024